(57)【要約】  本発明は、動的スペクトル共用方法および装置を提供する。方法は、基地局がカバー対象セルの第1スペクトル利用情報を判断するステップであって、第1スペクトル利用情報が、カバー対象セルのアクセス失敗率、カバー対象セルの呼数強度、カバー対象セルの予想帯域幅、カバー対象セルのアイドル帯域幅、カバー対象セルの帯域幅構成情報、およびカバー対象セルのエッジユーザー機器情報の各情報の任意の1つまたは組み合わせを含むステップと、同じ無線アクセス技術を含む同種システムで動的スペクトル共用が実行される場合に基地局が第1スペクトル利用情報を隣接基地局に送信し、異なる無線アクセス技術を含む異種混合システムで動的スペクトル共用が実行される場合に基地局が第1スペクトル利用情報をコアネットワークに送信し、または基地局が第1スペクトル利用情報を無線リソース管理サーバーに送信するステップとを含む。本発明は、スペクトルリソースの共用という目標を達成し、スペクトルリソースの利用率を向上させる。
2015506612.tif 000002
【特許請求の範囲】
【請求項１】
基地局により、カバー対象セルの第1スペクトル利用情報を判断するステップであって、前記第1スペクトル利用情報が、前記カバー対象セルのアクセス失敗率、前記カバー対象セルの呼数密度、前記カバー対象セルの予想帯域幅、前記カバー対象セルの空き帯域幅、前記カバー対象セルの帯域幅構成情報、および前記カバー対象セルのエッジユーザー機器の情報の任意の1つまたは組み合わせを含み、前記カバー対象セルの前記帯域幅構成情報が、前記カバー対象セルの帯域幅と搬送波とを含み、前記カバー対象セルの前記エッジユーザー機器の前記情報が、前記基地局の下りリンク送信電力と、前記カバー対象セルの前記エッジユーザー機器によって占有される物理リソースブロックとを含むステップと、
同じ無線アクセス技術を含む同種システムで動的スペクトル共用が実行される場合に前記基地局により前記第1スペクトル利用情報を隣接基地局に送信するステップ、異なる無線アクセス技術を含む異種混合システムで動的スペクトル共用が実行される場合に前記基地局により前記第1スペクトル利用情報をコアネットワークに送信するステップ、または前記基地局により前記第1スペクトル利用情報を無線リソース管理サーバーに送信するステップと
を含む動的スペクトル共用方法。
【請求項２】
前記基地局により前記第1スペクトル利用情報を隣接基地局に送信する前記ステップが、前記基地局により前記第1スペクトル利用情報を構成更新メッセージまたは負荷メッセージにより前記隣接基地局に送信するステップを含み、または
前記基地局により前記第1スペクトル利用情報をコアネットワークに送信する前記ステップが、前記基地局により前記第1スペクトル利用情報を構成更新メッセージにより前記コアネットワークに送信するステップを含む請求項1に記載の方法。
【請求項３】
前記基地局により前記第1スペクトル利用情報を隣接基地局に送信する前記ステップが、
前記基地局の帯域幅が不足している場合に、前記基地局により前記予想帯域幅を前記隣接基地局に、または
前記基地局に前記空き帯域幅がある場合に、前記基地局により前記空き帯域幅を前記隣接基地局に送信するステップ
を含む請求項1に記載の方法。
【請求項４】
前記基地局により前記第1スペクトル利用情報をコアネットワークに送信する前記ステップが、
前記基地局の帯域幅が不足している場合に、前記基地局により前記予想帯域幅を前記コアネットワークに、または
前記基地局に前記空き帯域幅がある場合に、前記基地局により前記空き帯域幅を前記コアネットワークに送信するステップ
を含む請求項1に記載の方法。
【請求項５】
前記基地局により前記第1スペクトル利用情報を無線リソース管理サーバーに送信する前記ステップが、
前記基地局の帯域幅が不足している場合に、前記基地局により前記予想帯域幅を前記無線リソース管理サーバーに送信するステップ、または
前記基地局に前記空き帯域幅がある場合に、前記基地局により前記空き帯域幅を前記無線リソース管理サーバーに送信するステップ
を含む請求項1に記載の方法。
【請求項６】
前記基地局により、前記隣接基地局によって送信された前記隣接基地局の空き帯域幅を受信するステップ、前記基地局により、空き帯域幅がある基地局から割り当てられ前記コアネットワークによって送信された空き帯域幅を受信するステップ、または前記基地局により、空き帯域幅がある基地局から割り当てられ前記無線リソース管理サーバーによって送信された空き帯域幅を受信するステップ
をさらに含む請求項1から5のいずれか一項に記載の方法。
【請求項７】
カバー対象セルの第1スペクトル利用情報を判断するようになされた判断モジュールであって、前記第1スペクトル利用情報が、前記カバー対象セルのアクセス失敗率、前記カバー対象セルの呼数密度、前記カバー対象セルの予想帯域幅、前記カバー対象セルの空き帯域幅、前記カバー対象セルの帯域幅構成情報、および前記カバー対象セルのエッジユーザー機器の情報の任意の1つまたは組み合わせを含み、前記カバー対象セルの前記帯域幅構成情報が、前記カバー対象セルの帯域幅と搬送波とを含み、前記カバー対象セルの前記エッジユーザー機器の前記情報が、基地局の下りリンク送信電力と、前記カバー対象セルの前記エッジユーザー機器によって占有される物理リソースブロックとを含む判断モジュールと、
同じ無線アクセス技術を含む同種システムで動的スペクトル共用が実行される場合に前記第1スペクトル利用情報を隣接基地局に送信し、異なる無線アクセス技術を含む異種混合システムで動的スペクトル共用が実行される場合に前記第1スペクトル利用情報をコアネットワークに送信し、または前記第1スペクトル利用情報を無線リソース管理サーバーに送信するようになされた送信モジュールと
を含む動的スペクトル共用装置。
【請求項８】
前記送信モジュールが、
同じ無線アクセス技術を含む前記同種システムで前記動的スペクトル共用が実行される場合に、前記第1スペクトル利用情報を構成更新メッセージまたは負荷メッセージにより前記隣接基地局に送信するようになされた第1送信ユニット、
異なる無線アクセス技術を含む前記異種混合システムで前記動的スペクトル共用が実行される場合に、前記第1スペクトル利用情報を構成更新メッセージにより前記コアネットワークに送信するようになされた第2送信ユニット、または
前記第1スペクトル利用情報を前記無線リソース管理サーバーに送信するようになされた第3送信ユニット
を含む請求項7に記載の装置。
【請求項９】
前記第1送信ユニットが、同じ無線アクセス技術を含む前記同種システムで前記動的スペクトル共用が実行されるときに、ローカル基地局の帯域幅が不足している場合は前記予想帯域幅を前記構成更新メッセージもしくは前記負荷メッセージにより前記隣接基地局に送信し、またはローカル基地局に前記空き帯域幅がある場合は前記空き帯域幅を前記構成更新メッセージもしくは前記負荷メッセージにより前記隣接基地局に送信するようにさらになされ、
前記第2送信ユニットが、異なる無線アクセス技術を含む前記異種混合システムで前記動的スペクトル共用が実行されるときに、ローカル基地局の帯域幅が不足している場合は前記予想帯域幅を前記構成更新メッセージにより前記コアネットワークに送信し、またはローカル基地局に前記空き帯域幅がある場合は前記空き帯域幅を前記構成更新メッセージにより前記コアネットワークに送信するようにさらになされ、
前記第3送信ユニットが、ローカル基地局の帯域幅が不足している場合は前記予想帯域幅を前記無線リソース管理サーバーに送信し、またはローカル基地局に前記空き帯域幅がある場合は前記空き帯域幅を前記無線リソース管理サーバーに送信するようにさらになされている
請求項8に記載の装置。
【請求項１０】
前記第1スペクトル利用情報が送信された後に、前記隣接基地局の前記空き帯域幅を前記隣接基地局から受信するか、前記空き帯域幅がある基地局から割り当てられた前記空き帯域幅を前記コアネットワークから受信するか、または前記空き帯域幅がある基地局から割り当てられた前記空き帯域幅を前記無線リソース管理サーバーから受信するようになされた受信モジュール
をさらに含む請求項7から9のいずれか一項に記載の装置。
【発明の詳細な説明】
【技術分野】
【０００１】
本出願は、全体が参照により本明細書に組み込まれている、2012年4月20日に中国国家知識産権局に出願した中国特許出願第201210118160.7号「動的スペクトル共用の方法および装置」の優先権を主張するものである。
【０００２】
本発明は、通信技術の分野に関し、詳細には動的スペクトル共用の方法および装置に関する。
【背景技術】
【０００３】
無線スペクトルは、経済的および社会的な価値のあるリソースである。広帯域ワイヤレス通信システムでは、スペクトルリソースは貴重であり希少である。スペクトルリソースをいかに効率的に利用するかは、現在注目の研究課題である。ネットワークのeNBで業務負荷が不均衡になっている場合、スペクトル共用技術によりスペクトルの利用率を向上させることができる。ネットワークの無線アクセス技術(Radio Access Technologies、RAT)で業務負荷が不均衡になっている場合も、スペクトル共用技術によりスペクトルの利用率を向上させることができる。
【０００４】
既存の技術では、主に「RESOURCE STATUS REQUEST(リソースステータス要求)」、「RESOURCE STATUS UPDATE(リソースステータス更新)」、「LOAD INFORMATION(負荷情報)」等のメッセージが、基地局を含むネットワークの負荷状態を示すようになされている。RESOURCE STATUS REQUESTメッセージとRESOURCE STATUS UPDATEメッセージは、基地局を含むネットワークの負荷状態を次のIEにより伝える。すなわち、下りリンクおよび上りリンクでのPRBの利用を示す(indicates the usage of the PRBs in downlink and uplink) Radio Resource Status IE、セルが経験するS1トランスポートネットワーク負荷のステータスを示す(indicates the status of the S1 transport network load experienced by the cell) S1 TNL Load Indicator IE、セルが経験するS1トランスポートネットワーク負荷のステータスを示す(indicates the status of the S1 transport network load experienced by the cell) Hardware Load Indicator IE、およびセルにおける下りリンクおよび上りリンクでの全体的な利用可能リソースレベルを示す(indicates the overall available resource level in the cell in downlink and uplink) Composite Available Capacity Group IEの各IEである。「LOAD INFORMATION」メッセージは、基地局を含むネットワークの負荷状態を次のIEにより伝える。すなわち、干渉されるセルによって送信され、干渉されるセルの干渉レベルを示し、受信側のeNBによってスケジューリングポリシーの設定時に考慮されるOI(overload indication)、送信側eNBの干渉レベルを受信したeNBが隣接干渉セルのPRBでエッジユーザーをスケジューリングするのを回避するよう試みる必要があることを示すHII(High Interference Information、高干渉情報)、および下りリンク送信電力がしきい値よりも低いかどうかを示すRNTP(Relative Narrowband Tx Power、相対狭帯域送信電力)の各IEである。メッセージを受信したeNBは、スケジューリングポリシーを設定するときにメッセージを考慮する必要がある。
【０００５】
しかし、基地局から隣接基地局またはコアネットワークに送信されるメッセージは、その基地局でのネットワークの負荷状態を部分的にしか反映していない。合理的で効果的なスペクトルリソース共用の判断を隣接基地局またはコアネットワークが行うには不十分である。したがって、スペクトルリソースが一部の基地局で不足し、他の基地局で空いているという現象が起こる可能性があり、よってスペクトルの利用率が低くなる。
【発明の概要】
【発明が解決しようとする課題】
【０００６】
本発明の実施形態は、スペクトルの利用率が低いという既存の技術の欠点を解決する、動的スペクトル共用の方法および装置を提供する。
【課題を解決するための手段】
【０００７】
一態様では、本発明の実施形態は、
基地局により、カバー対象セルの第1スペクトル利用情報を判断するステップであって、第1スペクトル利用情報が、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の任意の1つまたは組み合わせを含み、カバー対象セルの帯域幅構成情報が、カバー対象セルの帯域幅と搬送波とを含み、カバー対象セルのエッジユーザー機器の情報が、基地局の下りリンク送信電力と、カバー対象セルのエッジユーザー機器によって占有される物理リソースブロックとを含むステップと、
同じ無線アクセス技術を含む同種システムで動的スペクトル共用が実行される場合に基地局により第1スペクトル利用情報を隣接基地局に送信し、または異なる無線アクセス技術を含む異種混合システムで動的スペクトル共用が実行される場合に基地局により第1スペクトル利用情報をコアネットワークに送信するステップと
を含む動的スペクトル共用方法を提供する。
【０００８】
別の態様では、本発明の実施形態は、
カバー対象セルの第1スペクトル利用情報を判断するようになされた判断モジュールであって、第1スペクトル利用情報が、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の任意の1つまたは組み合わせを含み、カバー対象セルの帯域幅構成情報が、カバー対象セルの帯域幅と搬送波とを含み、カバー対象セルのエッジユーザー機器の情報が、基地局の下りリンク送信電力と、カバー対象セルのエッジユーザー機器によって占有される物理リソースブロックとを含む判断モジュールと、
同じ無線アクセス技術を含む同種システムで動的スペクトル共用が実行される場合に第1スペクトル利用情報を隣接基地局に送信し、異なる無線アクセス技術を含む異種混合システムで動的スペクトル共用が実行される場合に第1スペクトル利用情報をコアネットワークに送信し、または第1スペクトル利用情報を無線リソース管理サーバーに送信するようになされた送信モジュールと
を含む動的スペクトル共用装置を提供する。
【０００９】
本発明の実施形態による動的スペクトル共用方法および装置では、基地局により隣接基地局、コアネットワーク、またはRRM Serverに送信される第1スペクトル利用情報は、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の各情報の任意の1つまたは組み合わせを含む。隣接基地局、コアネットワーク、または無線リソース管理サーバーは、第1スペクトル利用情報に応じて、基地局でスペクトルリソースが不足しているか、または空いているかを判断できる。したがって、基地局を含むネットワークの空き帯域幅もしくは他の基地局の空き帯域幅をこの基地局に割り当てるか、またはこの基地局の空き帯域幅を他の基地局に割り当てることができる。したがって、スペクトルリソース共用の目的が実装され、スペクトルリソースの利用率が向上する。
【図面の簡単な説明】
【００１０】
【図１】本発明の実施形態による、追加のスペクトル共用処理ネットワーク要素を含まない動的スペクトル共用方法のフローチャートである。
【図２】本発明の実施形態による、追加のスペクトル共用処理ネットワーク要素を含まないintra-LTEの場面での動的スペクトル共用方法のフローチャートである。
【図３】本発明の実施形態による、追加のスペクトル共用処理ネットワーク要素を含まないinter-RATの場面での動的スペクトル共用方法のフローチャートである。
【図４】本発明の実施形態による、追加のスペクトル共用処理ネットワーク要素を含まないinter-RATの場面での別の動的スペクトル共用方法のフローチャートである。
【図５Ａ】本発明の実施形態による、追加のスペクトル共用処理ネットワーク要素を含むintra-LTEの場面での動的スペクトル共用方法のフローチャートである。
【図５Ｂ】図5Aの適用場面図である。
【図６Ａ】本発明の実施形態による、追加のスペクトル共用処理ネットワーク要素を含むinter-RATの場面での動的スペクトル共用方法のフローチャートである。
【図６Ｂ】図6Aの適用場面図である。
【図７Ａ】本発明の実施形態による動的スペクトル共用装置の概略構造図である。
【図７Ｂ】本発明の実施形態による別の動的スペクトル共用装置の概略構造図である。
【図７Ｃ】本発明の実施形態によるさらに別の動的スペクトル共用装置の概略構造図である。
【発明を実施するための形態】
【００１１】
図1は、本発明の実施形態による、追加のスペクトル共用処理ネットワーク要素を含まない動的スペクトル共用方法のフローチャートである。この実施形態では、基地局は、ロングタームエボリューション(Long Term Evolution、LTE)ネットワークのeNB、2Gネットワークのベーストランシーバ基地局(Base Transceiver Station、BTS)、3GネットワークのNB、またはより高度な4Gネットワークのアクセスネットワーク要素でありうる。図1に示すように、実施形態はステップS11〜S12を含む。
【００１２】
ステップS11: 基地局が、カバー対象セルの第1スペクトル利用情報を判断する。第1スペクトル利用情報は、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の各情報の任意の1つまたは組み合わせを含む。カバー対象セルの帯域幅構成情報は、カバー対象セルの帯域幅と搬送波とを含み、カバー対象セルのエッジユーザー機器の情報は、基地局の下りリンク送信電力と、カバー対象セルのエッジユーザー機器によって占有される物理リソースブロックとを含む。
【００１３】
基地局は、カバー対象セルの第1スペクトル利用情報を定期的に判断できる。基地局は、カバー対象セルのアクセス失敗率、カバー対象セルの呼数密度、カバー対象セルの予想帯域幅、カバー対象セルの空き帯域幅、カバー対象セルの帯域幅構成情報、またはカバー対象セルのエッジユーザー機器の情報を含む第1スペクトル利用情報のみを判断することがある。基地局はまた、これらの情報の任意の組み合わせを含む第1スペクトル利用情報を判断することがある。
【００１４】
セルのアクセス失敗率は、アクセス総数に対する失敗したアクセス回数の比率であり、アクセス総数は、失敗したアクセス回数と成功したアクセス回数の合計である。セルのユーザー機器の呼数密度は、呼び出しが1秒間に受信された回数である。セルの承認失敗率(Admission failure rate)が高いほど、セルのスペクトル負荷は大きくなる。セルのユーザー機器の呼数密度(Call intensity)が大きいほど、セルにアクセスしている端末は多く、セルのスペクトル負荷は大きくなる。セルの予想帯域幅(Needed bandwidth)は、予想帯域幅の幅でありえ、予想帯域幅の範囲でもありうる。セルの空き帯域幅(Vacating bandwidth)は、空き帯域幅の範囲でありうる。
【００１５】
カバー対象セルのエッジユーザー機器の情報は、基地局の下りリンク送信電力と、カバー対象セルのエッジユーザー機器によって占有される物理リソースブロックとを含む。隣接基地局への干渉は、基地局の下りリンク送信電力によって判断されうる。
【００１６】
ステップS12: 同じ無線アクセス技術を含む同種システムで動的スペクトル共用が実行される場合に基地局が第1スペクトル利用情報を隣接基地局に送信し、異なる無線アクセス技術を含む異種混合システムで動的スペクトル共用が実行される場合に基地局が第1スペクトル利用情報をコアネットワークに送信し、または基地局が第1スペクトル利用情報を無線リソース管理サーバーに送信する。
【００１７】
基地局は、第1スペクトル利用情報を定期的に送信でき、また第1スペクトル利用情報の1または複数の情報が変更されたときに第1スペクトル利用情報を送信できる。
【００１８】
LTEネットワーク、2Gネットワーク、3Gネットワークなど、同じ無線アクセス技術を含む同種システムで動的スペクトル共用が実行される場合、基地局は第1スペクトル利用情報を隣接基地局に送信する。カバー対象セルのアクセス失敗率が高い場合、ユーザー機器の呼数密度が多い場合、予想帯域幅が存在する場合、または空き帯域幅が存在しない場合、基地局でリソースが不足しているか、または負荷が大きいと判断されうる。隣接基地局は、第1スペクトル利用情報に応じて、第1スペクトル利用情報を送信した基地局のスペクトルリソースが不足していると判断する。この場合、その時点で隣接基地局に空きスペクトルリソースがあれば、隣接基地局は、自らの空き帯域幅を、第1スペクトル利用情報を送信した基地局に割り当てる。第1スペクトル利用情報を送信した基地局は、隣接基地局によって送信された利用可能な帯域幅を受信し、受信した利用可能な帯域幅を割り当てることができる。その時点で隣接基地局に空きスペクトルリソースがなければ、第1スペクトル利用情報を送信した基地局は、隣接基地局から、空きスペクトルリソースがないという通知メッセージを受信しうる。
【００１９】
異なる無線アクセス技術を含む異種混合システムは、LTEネットワークが3Gネットワークと共存する異種混合システム、LTEネットワークが2Gネットワークと共存する異種混合システム、2Gネットワークが3Gネットワークと共存する異種混合システム、またはより高度な4Gネットワークが他のネットワークと共存する異種混合システムでありうる。2Gネットワークが3Gネットワークと共存する異種混合システム等の異なる無線アクセス技術を含む異種混合システムで動的スペクトル共用が実行されると、基地局は、2Gネットワークの基地局制御装置(Base Station Controller、BSC)や3Gネットワークの無線ネットワーク制御装置(Radio Network Controller、RNC)などのネットワーク側の機器により、第1スペクトル利用情報をコアネットワークに送信する。コアネットワークは、スペクトル共用機能を実行する。または、コアネットワークは、第1スペクトル利用情報をピアネットワークに送信する。ピアネットワークは、スペクトル共用機能を実行する。例として、コアネットワークまたはピアネットワークは、第1スペクトル利用情報に応じて、第1スペクトル利用情報を送信した基地局でリソースが不足しているか、または負荷が大きいと判断する。コアネットワークまたはピアネットワークは、収集された他の基地局の第1スペクトル利用情報に応じて、空き帯域幅がある基地局を判断する。次に、コアネットワークまたはピアネットワークは、他の基地局の空き帯域幅を、リソースが不足している基地局に割り当てる。リソースが不足している基地局は、空き帯域幅がある基地局から割り当てられた空き帯域幅を、コアネットワークから受信することができる。別の例として、コアネットワークまたはピアネットワークは、基地局のエッジユーザー機器によって占有されている物理リソースブロック(PRB)が多いことを判断する。この場合、エッジユーザー機器を、占有しているPRBが少ない他の基地局に割り当てることができ、占有しているPRBが少ない基地局の空き帯域幅が、占有しているPRBが多い基地局に割り当てられる。別の例として、Macroセルのアクセス失敗率が高い場合、コアネットワークまたはピアネットワークは、Macroセルの負荷が大きいと判断する。この場合、エッジユーザー機器を、占有しているPRBが少ない他の基地局に割り当てることができ、占有しているPRBが少ない基地局の空き帯域幅がMacroセルに割り当てられる。
【００２０】
無線リソース管理サーバー(Radio Resource Management Server、RRM Server)等のスペクトル共用処理ネットワーク要素が追加されている場合、動的スペクトル共用が同じ無線アクセス技術を含む同種システムで実行されるか、異なる無線アクセス技術を含む異種混合システムで実行されるかに関係なく、基地局は、RRM Serverの追加のxnインターフェイスを通じて第1スペクトル利用情報をRRM Serverに定期的に送信しうる。xnインターフェイスは、RRM Serverの導入により定義されるインターフェイスであり、その名前は変更可能である。第1スペクトル利用情報は、第1スペクトル利用情報の1または複数の情報が変更されたときにRRM Serverに送信されうる。
【００２１】
基地局は、RRM Serverに対して、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報のみを含む第1スペクトル利用情報を送信しうる。また基地局は、RRM Serverに対して、上記情報の任意の組み合わせを含む第1スペクトル利用情報を送信しうる。たとえば、eNBは、RRM Serverに対して、追加のXnインターフェイスを介してeNB configuration messageを送信できる。eNB configuration messageは、eNBの構成済み帯域幅(Configured bandwidth)と搬送波(carrier)とを含む。たとえば、eNBは、RRM serverに対して、追加のXnインターフェイスを介してEdge user distribution messageを送信できる。Edge user distribution messageは、eNBの下りリンク送信電力と、eNBのカバー対象セルのエッジユーザー機器によって占有される物理リソースブロックとを含む。たとえば、eNBは、RRM Serverに対して、Load information messageで搬送されるカバー対象セルのアクセス失敗率と呼数密度とを追加のXnインターフェイスを介して送信できる。
【００２２】
カバー対象セルのアクセス失敗率が高い場合、ユーザー機器の呼数密度が多い場合、基地局に予想帯域幅が存在する場合、または基地局に空き帯域幅が存在しない場合、基地局のリソースが不足しているか、または基地局の負荷が大きいと判断されうる。RRM Serverは、各基地局の第1スペクトル利用情報を収集し、各基地局のリソースおよび負荷を分析することにより、スペクトル共用を実行する必要があるか判断する。分析結果に応じて、リソースが基地局間で調整される。例として、RRM Serverは、第1スペクトル利用情報を送信した基地局でリソースが不足しているか、または負荷が大きいかを判断し、収集された各基地局の第1スペクトル利用情報に応じて空き帯域幅がある基地局を判断し、空き帯域幅がある基地局の空き帯域幅をリソースが不足している基地局に割り当てる。リソースが不足している基地局は、RRM Serverによって送信された利用可能な帯域幅を受信することができる。別の例として、RRM Serverが基地局のエッジユーザー機器によって占有されている物理リソースブロック(PRB)が多いと判断した場合、RRM Serverは、占有しているPRBが少ない他の基地局にエッジユーザー機器を割り当てることができ、占有しているPRBが少ない基地局の空き帯域幅を、占有しているPRBが多い基地局に割り当てることができる。別の例として、Macroセルのアクセス失敗率が高い場合、RRM Serverは、Macroセルの負荷が大きいと判断し、占有しているPRBが少ない他の基地局にエッジユーザー機器を割り当て、占有しているPRBが少ない基地局の空き帯域幅をMacroセルに割り当てる。
【００２３】
実施形態による動的スペクトル共用方法では、基地局は隣接基地局、コアネットワーク、またはRRM Serverに第1スペクトル共用情報を送信する。第1スペクトル共用情報は、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の各情報の任意の1つまたは組み合わせを含む。隣接基地局、コアネットワーク、またはRRM Serverは、第1スペクトル利用情報に応じて、基地局のスペクトルリソースが不足しているか、または空いているかを判断できる。したがって、ローカル基地局または他の基地局の空き帯域幅を基地局に割り当てるか、または基地局の空き帯域幅を他の基地局に割り当てることができる。したがって、スペクトルリソース共用が実装され、スペクトルリソースの利用率が向上する。
【００２４】
図2は、本発明の実施形態による、追加のスペクトル共用処理ネットワーク要素を含まないintra-LTEの場面での動的スペクトル共用方法のフローチャートである。この実施形態は、主にintra-LTE、すなわちLTEネットワーク内の場面での動的スペクトル共用方法を表す。図2に示すように、この実施形態は、ステップS21〜S22を含む。
【００２５】
ステップS21: eNBがカバー対象セルの第2スペクトル利用情報を判断する。第2スペクトル利用情報は、カバー対象セルのアクセス失敗率、カバー対象セルのユーザー機器の呼数密度、カバー対象セルの予想帯域幅、およびカバー対象セルの空き帯域幅の各情報の任意の1つまたは組み合わせを含む。
【００２６】
ステップS22: eNBが第2スペクトル利用情報をENB CONFIGURATION UPDATEメッセージまたはLOAD INFORMATIONメッセージにより隣接eNBに送信する。
【００２７】
eNBは、カバー対象セルのアクセス失敗率、カバー対象セルのユーザー機器の呼数密度、カバー対象セルの予想帯域幅、およびカバー対象セルの空き帯域幅のいずれか1つが変更されたときに、ENB CONFIGURATION UPDATEメッセージをX2インターフェイス経由で隣接eNBに送信できる。4つのIE、すなわちAdmission failure rate、Call intensity、Needed bandwidth、およびVacating bandwidthは、ENB CONFIGURATION UPDATEメッセージに新たに追加される。または、eNBは、LOAD INFORMATIONメッセージをx2インターフェイス経由で隣接eNBに送信できる。4つのIE、すなわちAdmission failure rate、Call intensity、Needed bandwidth、およびVacating bandwidthは、LOAD INFORMATIONメッセージに新たに追加される。
【００２８】
カバー対象セルのアクセス失敗率が高い場合、ユーザー機器の呼数密度が高い場合、eNBの予想帯域幅が存在する場合、またはeNBの空き帯域幅が存在しない場合、eNBでリソースが不足しているか、または負荷が大きいと判断されうる。第1スペクトル利用情報に応じてeNBでスペクトルリソースが不足していると判断された場合、隣接eNBは、その時点で隣接eNBに空きスペクトルリソースがあれば、ローカルeNBの空き帯域幅を、上述した第1スペクトル利用情報を送信したeNBに割り当てる。第1スペクトル利用情報を送信したeNBは、隣接eNBによって送信された利用可能な帯域幅を受信することができる。その時点で隣接eNBに空きスペクトルリソースがなければ、第1スペクトル利用情報を送信したeNBは、隣接eNBから、空きスペクトルリソースがないという通知メッセージを受信しうる。
【００２９】
図3は、本発明の実施形態による、追加のスペクトル共用処理ネットワーク要素を含まないinter-RATの場面での動的スペクトル共用方法のフローチャートである。inter-RATの場面は、LTEネットワークが3Gネットワークと共存する異種混合システム、LTEネットワークが2Gネットワークと共存する異種混合システム、または2Gネットワークが3Gネットワークと共存する異種混合システムでありうる。この実施形態では、inter-RATの場面は、詳細には、LTEネットワークが2G(または3G)ネットワークと共存する異種混合ワイヤレスネットワークを表す。図3に示すように、この実施形態は、ステップS31〜S33を含む。
【００３０】
ステップS31: eNBがカバー対象セルの予想帯域幅を判断する。
【００３１】
ステップS32: 帯域幅が不足している場合、eNBがカバー対象セルの予想帯域幅をeNB構成更新(ENB CONFIGURATION UPDATE)メッセージによりコアネットワークに送信する。
【００３２】
新しいIE、すなわちNeeded bandwidthが、予想帯域幅を示すようになされたENB CONFIGURATION UPDATEメッセージに追加される。inter-RATの場面では、基地局間にX2インターフェイスが提供されない。したがって基地局は、相互に直接やり取りすることはできない。LTEネットワークが2G(または3G)ネットワークと共存する異種混合無線ネットワークでは、コアネットワークが移動性管理エンティティ(Mobility Management Entity、MME)でありうる。
【００３３】
ステップS33: eNBがコアネットワークによって返されたeNB構成更新確認(ENB CONFIGURATION UPDATE ACKNOWLEDGE)メッセージを受信する。ENB CONFIGURATION UPDATE ACKNOWLEDGEメッセージは、他のeNBから割り当てられた空き帯域幅を含む。
【００３４】
コアネットワークは、第1スペクトル利用情報に応じて、第1スペクトル利用情報を送信した基地局でリソースが不足しているか、または負荷が大きいかを判断し、収集された他の基地局の第1スペクトル利用情報に応じて空き帯域幅がある他の基地局を判断し、他の基地局の空き帯域幅をリソースが不足している基地局に割り当てる。リソースが不足している基地局は、コアネットワークから、空き帯域幅を含むENB CONFIGURATION UPDATE ACKNOWLEDGEメッセージを受信しうる。新しいIE、すなわちvacate bandwidthが、他のeNBから割り当てられた空き帯域幅を示すようになされたENB CONFIGURATION UPDATE ACKNOWLEDGEメッセージに追加される。
【００３５】
加えて、eNBは、帯域幅が不足している場合、コアネットワークに帯域幅要求(bandwidth request)メッセージを送信するか、またはコアネットワークを介してピアネットワークのBSCもしくはRNCに帯域幅要求(bandwidth request)メッセージを送信しうる。帯域幅要求メッセージは、要求された必要帯域幅を示すようになされたNeed adding bandwidth IEを含む。eNBは、コアネットワークによって返された帯域幅要求確認(Bandwidth request ack)メッセージを受信する。Bandwidth request ackメッセージは、他のeNBから割り当てられた空き帯域幅を含む。Bandwidth request ackメッセージは、他のeNBから割り当てられた空き帯域幅を示すようになされたVacate bandwidth IEを含む。
【００３６】
帯域幅が不足している場合、BTSまたはNBは、予想帯域幅を含むeNB構成更新メッセージをBSCまたはRNCを介してコアネットワークに送信して、カバー対象セルの予想帯域幅を要求する。eNB構成更新メッセージが受信された後、スペクトル共用がコアネットワークで実行される。または、コアネットワークはeNB構成更新メッセージをピアネットワークに送信し、スペクトル共用がピアネットワークで実行される。
【００３７】
図4は、本発明の実施形態による、追加のスペクトル共用処理ネットワーク要素を含まないinter-RATの場面での動的スペクトル共用方法の別のフローチャートである。この実施形態では、inter-RATの場面は、詳細には、LTEネットワークが2G(または3G)ネットワークと共存する異種混合ワイヤレスネットワークを表す。図4に示すように、この実施形態は、ステップS41〜S42を含む。
【００３８】
ステップS41: eNBがカバー対象セルの空き帯域幅を判断する。
【００３９】
ステップS42: eNBに空き帯域幅がある場合、eNBがカバー対象セルの空き帯域幅をeNB構成更新(ENB CONFIGURATION UPDATE)メッセージによりコアネットワークに送信する。
【００４０】
2Gネットワークでは、BTSがeNB構成更新メッセージをBSC経由でコアネットワークに送信する。3Gネットワークでは、NBがeNB構成更新メッセージをRNC経由でコアネットワークに送信する。
【００４１】
以下の実施形態では、新しいネットワーク要素であるRRM Serverが追加される。加えて、eNB/NB/BTSとRRM Serverの間に、新しいインターフェイスと新しいメッセージが追加される。RRM Serverは、各基地局のスペクトル利用情報を収集し、スペクトル共用を実行する。LTEネットワーク、2Gネットワーク、3Gネットワークなど、同じ無線アクセス技術を含むシステムでは、RRM Serverはベースステーションの間に配置される。LTEネットワークが3Gネットワークと共存する異種混合システムでは、RRM ServerはeNBとRNCの間に位置する。LTEネットワークが2Gネットワークと共存する異種混合システムでは、RRM ServerはeNBとBSCの間に配置される。3Gネットワークが2Gネットワークと共存する異種混合システムでは、RRM ServerはBSCとRNCの間に配置される。
【００４２】
図5Aは、本発明の実施形態による、追加のスペクトル共用処理ネットワーク要素を含むintra-LTEの場面での動的スペクトル共用方法のフローチャートである。図5Bは、図5Aの適用場面図である。図5Aに示すように、この実施形態による動的スペクトル共用方法は、ステップS51〜S53を含む。
【００４３】
ステップS51: eNBがカバー対象セルのアクセス失敗率および呼数密度を判断する。
【００４４】
ステップS52: eNBがカバー対象セルのアクセス失敗率および呼数密度をLoad information messageによりRRM Serverに送信する。
【００４５】
図5Bに示すように、eNBは、macro基地局またはPico基地局でありうる。macro基地局およびPico基地局は、追加のXnインターフェイスを介してLoad information messageをRRM Serverに送信する。
【００４６】
ステップS53: eNBが追加の帯域幅(Added bandwidth)をRRM ServerからeNB reconfigured commandメッセージにより受信する。
【００４７】
加えて、eNBは、ローカル基地局の縮小帯域幅(reducing bandwidth)もRRM ServerからeNB reconfigured commandメッセージにより受信しうる。
【００４８】
図6Aは、本発明の実施形態による、追加のスペクトル共用処理ネットワーク要素を含むinter-RATの場面での動的スペクトル共用方法のフローチャートである。図6Bは、図6Aの適用場面図である。図6Bに示す場面は、LTEネットワークが3G(または2G)ネットワークと共存する異種混合ワイヤレスネットワークである。図6Aに示すように、LTEネットワークが3G(または2G)ネットワークと共存する異種混合ワイヤレスネットワークでは、eNBおよびNB(またはBTS)に直接接続されたネットワーク要素RRM Serverが追加される。この実施形態では、基地局はLTEネットワークのeNBまたは3GネットワークのNB(もしくは2GネットワークのBTS)でありうる。図6Aに示すように、この実施形態による動的スペクトル共用方法はステップS61〜S63を含む。
【００４９】
ステップS61: 基地局がカバー対象セルの予想帯域幅を判断する。
【００５０】
ステップS62: 帯域幅が不足している場合、基地局が帯域幅要求(bandwidth request)メッセージをRRM Serverに送信する。帯域幅要求メッセージは、RRM Serverから要求される予想帯域幅を含む。
【００５１】
ステップS63: 基地局がRRM Serverによって返された帯域幅要求確認(Bandwidth request ack)メッセージを受信する。帯域幅要求確認メッセージは、RRM Serverによって割り当てられた他の基地局の空き帯域幅を含む。
【００５２】
図7Aは、本発明の実施形態による動的スペクトル共用装置の概略構造図である。図7Aに示すように、この実施形態による装置は、判断モジュール71と、送信モジュール72とを含む。
【００５３】
判断モジュール71は、カバー対象セルの第1スペクトル利用情報を判断するようになされている。第1スペクトル利用情報は、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の各情報の任意の1つまたは組み合わせを含み、カバー対象セルの帯域幅構成情報は、カバー対象セルの帯域幅と搬送波とを含み、カバー対象セルのエッジユーザー機器の情報は、基地局の下りリンク送信電力と、カバー対象セルのエッジユーザー機器によって占有される物理リソースブロックとを含む。
【００５４】
送信モジュール72は、同じ無線アクセス技術を含む同種システムで動的スペクトル共用が実行される場合に第1スペクトル利用情報を隣接基地局に送信し、異なる無線アクセス技術を含む異種混合システムで動的スペクトル共用が実行される場合に第1スペクトル利用情報をコアネットワークに送信し、または第1スペクトル利用情報を無線リソース管理サーバーに送信するようになされている。
【００５５】
図7Bに示すように、送信モジュール72は、第1送信ユニット721と、第2送信ユニット722と、第3送信ユニット723とを含む。
【００５６】
第1送信ユニット721は、同じ無線アクセス技術を含む同種システムで動的スペクトル共用が実行される場合に、第1スペクトル利用情報を構成更新メッセージまたは負荷メッセージにより隣接基地局に送信するようになされている。
【００５７】
第2送信ユニット722は、異なる無線アクセス技術を含む異種混合システムで動的スペクトル共用が実行される場合に、第1スペクトル利用情報を構成更新メッセージによりコアネットワークに送信するようになされている。
【００５８】
第3送信ユニット723は、第1スペクトル利用情報を無線リソース管理サーバーに送信するようになされている。
【００５９】
さらに、第1送信ユニット721は、同じ無線アクセス技術を含む同種システムで動的スペクトル共用が実行されるときに、ローカル基地局の帯域幅が不足している場合は予想帯域幅を構成更新メッセージまたは負荷メッセージにより隣接基地局に送信し、またはローカル基地局に空き帯域幅がある場合は空き帯域幅を構成更新メッセージまたは負荷メッセージにより隣接基地局に送信するように特になされている。
【００６０】
さらに、第2送信ユニット722は、異なる無線アクセス技術を含む異種混合システムで動的スペクトル共用が実行されるときに、ローカル基地局の帯域幅が不足している場合は予想帯域幅を構成更新メッセージによりコアネットワークに送信し、またはローカル基地局に空き帯域幅がある場合は空き帯域幅を構成更新メッセージによりコアネットワークに送信するように特になされている。
【００６１】
さらに、第3送信ユニット723は、ローカル基地局の帯域幅が不足している場合は予想帯域幅を無線リソース管理サーバーに送信し、ローカル基地局に空き帯域幅がある場合は空き帯域幅を無線リソース管理サーバーに送信するように特になされている。
【００６２】
図7Cに示すように、この実施形態による装置は、受信モジュール73をさらに含みうる。
【００６３】
受信モジュール73は、第1スペクトル利用情報が送信モジュール72によって送信された後に、隣接基地局から隣接基地局の空き帯域幅を受信するか、空き帯域幅がある基地局から割り当てられコアネットワークによって送信された空き帯域幅を受信するか、または空き帯域幅がある基地局から割り当てられ無線リソース管理サーバーによって送信された空き帯域幅を受信するようになされている。
【００６４】
上述したモジュールの機能は、図1、図2、図3、図4、図5A、および図6Aに対応する実施形態を参照して説明されうるが、本明細書では反復しない。
【００６５】
本発明の実施形態による動的スペクトル共用装置により隣接基地局、コアネットワーク、またはRRMサーバーに送信される第1スペクトル利用情報は、カバー対象セルのアクセス失敗率、カバー対象セルの呼数密度、カバー対象セルの予想帯域幅、カバー対象セルの空き帯域幅、カバー対象セルの帯域幅構成情報、およびカバー対象セルのエッジユーザー機器の情報の各情報の任意の1つまたは組み合わせを含む。隣接基地局、コアネットワーク、またはRRMサーバーは、共用装置のスペクトルリソースが不足しているか、または共用装置に空き領域があるかを、第1スペクトル利用情報に応じて判断できる。よってローカル基地局もしくは他の基地局の空き帯域幅を共用装置に割り当てるか、または共用装置の空き帯域幅を他の基地局に割り当てることができる。したがって、スペクトルリソースの共用が実装され、スペクトルリソースの利用率が向上する。
【００６６】
当業者は、上述した実施形態の方法を実装するためのすべてまたは一部のプロセスを、コンピュータ可読ストレージメディアに格納できるコンピュータプログラムを使用して関連ハードウェアに命令することにより実装できることを理解する。このプログラムでは、上述した実施形態による方法を含むプロセスを実行できる。上述したストレージメディアは、プログラムコードを格納できるROM、RAM、磁気ディスク、光学ディスク等を含みうる。
【００６７】
最後に、上述した実施形態は本発明の技術的解決策を示すためにのみ使用され、本発明を限定するために使用されるわけではないことに注意する必要がある。本発明は上述した実施形態に従って説明されているが、当業者は、上述した実施形態に示された技術的解決策にさまざまな変更および等価の置換を加えられること、ならびにそれらの変更および等価の置換によって関連する技術的解決策が本発明の範囲から逸脱しないことを理解するはずである。
【符号の説明】
【００６８】
71  判断モジュール
72  送信モジュール
73  受信モジュール
721  第1送信ユニット
722  第2送信ユニット
723  第3送信ユニット
【図１】
2015506612.tif 000003
【図２】
2015506612.tif 000004
【図３】
2015506612.tif 000005
【図４】
2015506612.tif 000006
【図５Ａ】
2015506612.tif 000007
【図５Ｂ】
2015506612.tif 000008
【図６Ａ】
2015506612.tif 000009
【図６Ｂ】
2015506612.tif 000010
【図７Ａ】
2015506612.tif 000011
【図７Ｂ】
2015506612.tif 000012
【図７Ｃ】
2015506612.tif 000013
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
基地局により、カバー対象セルの第1スペクトル利用情報を判断するステップであって、前記第1スペクトル利用情報が、前記カバー対象セルのアクセス失敗率、前記カバー対象セルの呼数密度、前記カバー対象セルの予想帯域幅、前記カバー対象セルの空き帯域幅、前記カバー対象セルの帯域幅構成情報、および前記カバー対象セルのエッジユーザー機器の情報の任意の1つまたは組み合わせを含み、前記カバー対象セルの前記帯域幅構成情報が、前記カバー対象セルの帯域幅と搬送波とを含み、前記カバー対象セルの前記エッジユーザー機器の前記情報が、前記基地局の下りリンク送信電力と、前記カバー対象セルの前記エッジユーザー機器によって占有される物理リソースブロックとを含むステップと、
同じ無線アクセス技術を含む同種システムで動的スペクトル共用が実行される場合に前記基地局により前記第1スペクトル利用情報を隣接基地局に送信するステップ、異なる無線アクセス技術を含む異種混合システムで動的スペクトル共用が実行される場合に前記基地局により前記第1スペクトル利用情報をコアネットワークに送信するステップ、または前記基地局により前記第1スペクトル利用情報を無線リソース管理サーバーに送信するステップと
を含む動的スペクトル共用方法。
【請求項２】
前記基地局により前記第1スペクトル利用情報を隣接基地局に送信する前記ステップが、前記基地局により前記第1スペクトル利用情報を構成更新メッセージまたは負荷メッセージにより前記隣接基地局に送信するステップを含み、または
前記基地局により前記第1スペクトル利用情報をコアネットワークに送信する前記ステップが、前記基地局により前記第1スペクトル利用情報を構成更新メッセージにより前記コアネットワークに送信するステップを含む請求項1に記載の方法。
【請求項３】
前記基地局により前記第1スペクトル利用情報を隣接基地局に送信する前記ステップが、
前記基地局の帯域幅が不足している場合に、前記基地局により前記予想帯域幅を前記隣接基地局に送信するステップ、または
前記基地局に前記空き帯域幅がある場合に、前記基地局により前記空き帯域幅を前記隣接基地局に送信するステップ
を含む請求項1に記載の方法。
【請求項４】
前記基地局により前記第1スペクトル利用情報をコアネットワークに送信する前記ステップが、
前記基地局の帯域幅が不足している場合に、前記基地局により前記予想帯域幅を前記コアネットワークに送信するステップ、または
前記基地局に前記空き帯域幅がある場合に、前記基地局により前記空き帯域幅を前記コアネットワークに送信するステップ
を含む請求項1に記載の方法。
【請求項５】
前記基地局により前記第1スペクトル利用情報を無線リソース管理サーバーに送信する前記ステップが、
前記基地局の帯域幅が不足している場合に、前記基地局により前記予想帯域幅を前記無線リソース管理サーバーに送信するステップ、または
前記基地局に前記空き帯域幅がある場合に、前記基地局により前記空き帯域幅を前記無線リソース管理サーバーに送信するステップ
を含む請求項1に記載の方法。
【請求項６】
前記基地局により、前記隣接基地局によって送信された前記隣接基地局の空き帯域幅を受信するステップ、前記基地局により、空き帯域幅がある基地局から割り当てられ前記コアネットワークによって送信された空き帯域幅を受信するステップ、または前記基地局により、空き帯域幅がある基地局から割り当てられ前記無線リソース管理サーバーによって送信された空き帯域幅を受信するステップ
をさらに含む請求項1から5のいずれか一項に記載の方法。
【請求項７】
カバー対象セルの第1スペクトル利用情報を判断するようになされた判断モジュールであって、前記第1スペクトル利用情報が、前記カバー対象セルのアクセス失敗率、前記カバー対象セルの呼数密度、前記カバー対象セルの予想帯域幅、前記カバー対象セルの空き帯域幅、前記カバー対象セルの帯域幅構成情報、および前記カバー対象セルのエッジユーザー機器の情報の任意の1つまたは組み合わせを含み、前記カバー対象セルの前記帯域幅構成情報が、前記カバー対象セルの帯域幅と搬送波とを含み、前記カバー対象セルの前記エッジユーザー機器の前記情報が、基地局の下りリンク送信電力と、前記カバー対象セルの前記エッジユーザー機器によって占有される物理リソースブロックとを含む判断モジュールと、
同じ無線アクセス技術を含む同種システムで動的スペクトル共用が実行される場合に前記第1スペクトル利用情報を隣接基地局に送信し、異なる無線アクセス技術を含む異種混合システムで動的スペクトル共用が実行される場合に前記第1スペクトル利用情報をコアネットワークに送信し、または前記第1スペクトル利用情報を無線リソース管理サーバーに送信するようになされた送信モジュールと
を含む動的スペクトル共用装置。
【請求項８】
前記送信モジュールが、
同じ無線アクセス技術を含む前記同種システムで前記動的スペクトル共用が実行される場合に、前記第1スペクトル利用情報を構成更新メッセージまたは負荷メッセージにより前記隣接基地局に送信するようになされた第1送信ユニット、
異なる無線アクセス技術を含む前記異種混合システムで前記動的スペクトル共用が実行される場合に、前記第1スペクトル利用情報を構成更新メッセージにより前記コアネットワークに送信するようになされた第2送信ユニット、または
前記第1スペクトル利用情報を前記無線リソース管理サーバーに送信するようになされた第3送信ユニット
を含む請求項7に記載の装置。
【請求項９】
前記第1送信ユニットが、同じ無線アクセス技術を含む前記同種システムで前記動的スペクトル共用が実行されるときに、ローカル基地局の帯域幅が不足している場合は前記予想帯域幅を前記構成更新メッセージもしくは前記負荷メッセージにより前記隣接基地局に送信し、またはローカル基地局に前記空き帯域幅がある場合は前記空き帯域幅を前記構成更新メッセージもしくは前記負荷メッセージにより前記隣接基地局に送信するようにさらになされ、
前記第2送信ユニットが、異なる無線アクセス技術を含む前記異種混合システムで前記動的スペクトル共用が実行されるときに、ローカル基地局の帯域幅が不足している場合は前記予想帯域幅を前記構成更新メッセージにより前記コアネットワークに送信し、またはローカル基地局に前記空き帯域幅がある場合は前記空き帯域幅を前記構成更新メッセージにより前記コアネットワークに送信するようにさらになされ、
前記第3送信ユニットが、ローカル基地局の帯域幅が不足している場合は前記予想帯域幅を前記無線リソース管理サーバーに送信し、またはローカル基地局に前記空き帯域幅がある場合は前記空き帯域幅を前記無線リソース管理サーバーに送信するようにさらになされている
請求項8に記載の装置。
【請求項１０】
前記第1スペクトル利用情報が送信された後に、前記隣接基地局の前記空き帯域幅を前記隣接基地局から受信するか、前記空き帯域幅がある基地局から割り当てられた前記空き帯域幅を前記コアネットワークから受信するか、または前記空き帯域幅がある基地局から割り当てられた前記空き帯域幅を前記無線リソース管理サーバーから受信するようになされた受信モジュール
をさらに含む請求項7から9のいずれか一項に記載の装置。
【国際調査報告】
2015506612.tif 000014
2015506612.tif 000015
2015506612.tif 000016
2015506612.tif 000017